【事件の表示】
　平成　９年特許願第　６４４６６号「偏心プリズム光学系」拒絶査定不服審判事件〔平成１０年　９月２９日出願公開、特開平１０−２６０３５７〕について、次のとおり審決する。
【結　論】
　本件審判の請求は、成り立たない。
【理　由】
　
１．　手続の経緯
　
　本願は、平成９年３月１８日の出願であって、平成１８年４月１３日付で拒絶査定がなされ、これに対して、平成１８年５月１８日に拒絶査定不服審判がなされるとともに、平成１８年６月１６日付で手続補正がなされたものである。
　
　
２．　本願発明について
　
　本願の請求項１から２に係る発明は、平成１８年６月１６日付の手続補正により補正された明細書および図面の記載からみて、明細書の特許請求の範囲の請求項１から２に記載された事項により特定されるとおりのものであるところ、特に請求項１に係る発明（以下、「本願発明」という。）は、その請求項１に記載された次のとおりのものである。
「少なくとも３つの面が互いに偏心して配置され、その３つの面の間が屈折率が１．３以上の透明媒質で埋められた構成の偏心プリズムを備えた偏心プリズム光学系において、
　前記偏心プリズムは、少なくとも２回の内部反射を行うように、前記３つの面のうちの少なくとも２つの面を反射作用を有する面で形成すると共に、前記の２つの反射作用を有する面によって反射された光線が前記偏心プリズム内部で交差しないような位置に前記の２つの反射作用を有する面を備え、
　前記反射作用を有する２つの面のうち、１つの面の形状は面内及び面外共に回転対称軸を有さない回転非対称面にて形成され、他の１つの面は所定の有効面を少なくとも備え、
　前記他の１つの面の全領域中で光束が透過及び／又は反射をする領域を有効面としたとき、前記所定の有効面は、該有効面内に回転対称軸を有する回転対称面にて構成されており、
　前記偏心プリズムの入射側あるいは射出側に、正屈折力を有するレンズが配置されており、
　前記回転対称面が形成された前記１つの面は、前記偏心プリズムを通過する光束を入射若しくは射出させる透過作用と前記偏心プリズムの内部で前記光束を折り曲げる反射作用とを併せ持つ第１面として形成され、
　前記回転非対称面を含む前記他の１つの面は、前記第１面と対向配置された第２面として形成され、さらに、
　前記偏心プリズムを通過する光束を射出若しくは入射させる透過作用を有する第３面が、前記第１面と前記第２面との対向方向に対して略垂直方向の位置に配置され、
　少なくとも前記偏心プリズムが、前記第１面と前記第２面と前記第３面とを含む構成であり、
　前記レンズが、前記第１面の入射側若しくは射出側に配置されており、
　前記第２面がアナモルフィック面にて形成されており、
　前記アナモルフィック面が有する２つの対称面のうち、少なくとも１つの対称面内に前記第１面の回転対称面の回転対称軸が位置するように、前記第１面と前記第２面とが配置されていることを特徴とする偏心プリズム光学系。」
　
　
３．　引用例に記載の発明
　
　これに対して、原査定の拒絶理由で引用された、本願特許出願前に頒布された刊行物である特開平８−３１３８２９号公報（以下、「引用例１」という。）には、図面の図示とともに次の事項が記載されている。
　
（１）「【請求項５】　画像を表示する画像表示素子と、前記画像表示素子によって形成された画像を投影し、観察者眼球に導く接眼光学系とからなる光学装置において、
前記接眼光学系は、少なくとも３つの面を持ち、前記少なくとも３つの面によって形成される空間が屈折率が１より大きい媒質で満たされており、前記観察者眼球から前記画像表示素子に向かって順に、屈折面かつ全反射面である第１面、前記第１面に対向し、観察者視軸に対して偏心するかあるいは傾いた正のパワーを有する反射面である第２面、前記画像表示素子に最も近接している屈折面である第３面で構成され、前記少なくとも３つの面の中、少なくとも２つの面は有限の曲率半径を有する面である偏心光学素子と、屈折作用を有する少なくとも１つの光学面とを前記画像表示素子から前記観察者眼球に至る光路中に配設してなることを特徴とする光学装置。」
　
（２）「【００５０】本発明の偏心光学素子では、第２面とその後の第１面の内部反射は反射面であるため、それらの面で色収差は発生しない。」
　
（３）「【００６５】
【実施例】以下に、本発明の光学装置を適用した画像表示装置の実施例１から１１について、それぞれの単眼用の画像表示装置の断面図である図１〜図１１を参照して説明する。
【００６６】各実施例の構成パラメータは後記するが、以下の説明において、面番号は、観察者の瞳位置１から画像表示素子６へ向う逆追跡の面番号として示してある。そして、座標の取り方は、図１に示すように、観察者の虹彩位置１を原点とし、観察者視軸２を原点から接眼光学系７に向かう方向を正とするＺ軸、観察者視軸２に直交し、観察者眼球から見て上下方向の下から上を正とするＹ軸、観察者視軸２に直交し、観察者眼球からみて左右方向の右から左を正とするＸ軸と定義する。つまり、紙面内をＹーＺ面とし、紙面と垂直方向の面をＸ−Ｚ面とする。また、光軸は紙面のＹ−Ｚ面内で折り曲げられるものとする。
【００６７】そして、後記する構成パラメータ中において、偏心量Ｙ，Ｚと傾き角θが記載されている面については、基準面である１面（瞳位置１）からのその面の面頂のＹ軸方向、Ｚ軸方向の偏心量、及び、その面の中心軸のＺ軸からの傾き角を意味し、その場合、θが正は反時計回りを意味する。なお、偏心量Ｙ，Ｚと傾き角θの記載のない面は、その前の面と同軸であることを意味する。
【００６８】また、面間隔は、２面に関しては１面からのＺ軸に沿う距離であり、その位置が基準点になり、その基準点から偏心量Ｙの点が２面の面頂になる。同軸系部分についてはその面から次の面までの軸上間隔である。なお、面間隔は、光軸に沿って逆追跡の方向を正として示してある。
【００６９】また、各面において、非回転対称な非球面形状は、その面を規定する座標上で、Ｒy 、Ｒx はそれぞれＹ−Ｚ面（紙面）内の近軸曲率半径、Ｘ−Ｚ面内での近軸曲率半径、Ｋx 、Ｋy はそれぞれＸ−Ｚ面、Ｙ−Ｚ面内の円錐係数、ＡＲ、ＢＲはそれぞれＺ軸に対して回転対称な４次、６次の非球面係数、ＡＰ、ＢＰはそれぞれＺ軸に対して回転非対称な４次、６次の非球面係数とすると、非球面式は以下に示す通りである。
【００７０】Ｚ =［( Ｘ2/Ｒx )+ (Ｙ2/Ｒy ) ］／［1+｛ 1-(1+Ｋx ) ( Ｘ2/Ｒx 2)-(1+Ｋy ) ( Ｙ2/Ｒy 2)｝1/2 ］＋ＡＲ［ (1-ＡＰ) Ｘ2+( 1+ＡＰ) Ｙ2 ］2＋ＢＲ［ (1-ＢＰ) Ｘ2+( 1+ＢＰ) Ｙ2 ］3また、回転対称な非球面形状は、Ｒは近軸曲率半径、Ｋは円錐係数、Ａ、Ｂはそれぞれ４次、６次の非球面係数、ｈはｈ2 ＝Ｘ2 ＋Ｙ2 とすると、非球面式は以下に示す通りである。
Ｚ =（ｈ2/Ｒ）／［1+｛ 1-(1+Ｋ) ( ｈ2/Ｒ2)｝1/2 ］＋Ａｈ2 ＋Ｂｈ6　なお、面と面の間の媒質の屈折率はｄ線の屈折率で表す。長さの単位はｍｍである。
【００７１】さて、以下に示す実施例は全て右眼用の画像表示装置であり、左眼用は構成す光学要素を全てＹ−Ｚ面に対称に配備することで実現できる。また、実際の装置においては、接眼光学系によって光軸が屈曲する方向は、観察者の上方あるいは下方、側方何れの方向にあってもよいことは言うまでもない。
【００７２】それぞれの断面図において、図中、１は観察者瞳位置、２は観察者視軸、３は接眼光学系の第１面、４は接眼光学系の第２面、５は接眼光学系の第３面、６は画像表示素子、７は接眼光学系、９は光学面である。
【００７３】各実施例における実際の光線経路は、実施例１を例にとると、次のようになる。すなわち、画像表示素子６から発した光線束は、接眼光学系７の第３面５で屈折して接眼光学系７に入射し、第１面３で内部反射し、第２面４で反射されて、再び第１面３に入射して屈折されて、観察者の瞳の虹彩位置又は眼球の回旋中心を射出瞳１として観察者の眼球内に投影される。」
（４）「【００８１】実施例８
本実施例は、図８に断面を示すが、水平画角４０°、垂直画角３０．５°、瞳経８ｍｍである。後記する構成パラメータにおいて、２、３、４、６、７面は球面、５面はアナモフィック非球面である。また、光学面９は、２面と３面で定義された正レンズであり、接眼光学系（偏心光学素子）７と観察者眼球の間に視軸に対して偏心して配備されている。」
　
（５）「【００９０】
・・・（中略）・・・
実施例８
面番号　　　　曲率半径　　　　　　間隔　　　　　屈折率　　　アッベ数
　　　　　　　　　　　　　　　　　　　　　　　（偏心量）　（傾き角）
１　　　　　　∞（瞳）　　　　　　5.434　　　　　　　　　　　　　　 
２　　　　　 -67.198　　　　　　 12.671　　　　 1.4870　　　 70.40　　
　　　　　　　　　　　　　　　　　　　　　Ｙ　-28.840　 θ　-62.14°
３　　　　　 -55.775　　　　　　　　　　　　　　　　　　　　　　　　
４　　　　　-108.280　　　　　　　　　　　　　　1.7095　　　 47.70　　
　　　　　　　　　　　　　　　　　　　　　Ｙ　 23.401　 θ　 20.84°
　　　　　　　　　　　　　　　　　　　　　Ｚ　 45.112　　　　　　　
５　　　Ｒy　-81.008　　　　　　　　　　　　　　1.7095　　　 47.70　　
　　　　Ｒx　-76.504　　　　　　　　　　　Ｙ　-20.800　 θ　　9.41°　
　　　　Ｋy　　0.596647　　　　　　　　　 Ｚ　 73.513　　　　　　　　
　　　　Ｋx　　0.2904　　　　　　　　　　　　　　　　　　　　　　　
　　　　ＡＲ　 6.598　×10-8　　　　　　　　　　　　　　　　　　　　
　　　　ＢＲ　 7.20621×10-12　　　　　　　　　　　　　　　　　　　 
　　　　ＡＰ　-0.0350833　　　　　　　　　　　　　　　　　　　　　　
　　　　ＢＰ　-0.148558　　　　　　　　　　　　　　　　　　　　　　
６　　　　　-108.280　　　　　　　　　　　　　　1.7095　　　 47.70　
　　　　　　　　　　　　　　　　　　　　　Ｙ　 23.401　 θ　 20.84°
　　　　　　　　　　　　　　　　　　　　　Ｚ　 45.112　　　　　　　
７　　　　　-168.220　　　　　　　　　　　Ｙ　 -4.594　 θ　-33.61°
　　　　　　　　　　　　　　　　　　　　　Ｚ　 96.768　　　　　　　
８　　　　　（画像表示素子）　　　　　　　Ｙ　-44.345　 θ　-40.19°
　　　　　　　　　　　　　　　　　　　　　Ｚ　 69.067　　　　　　 
（１）Ｒy2／Ｒx2＝　1.059　　　　　　　　　　　　　　　　　　　　 
（２）　　α　　＝ 80.59°　　　　　　　　　　　　　　　　　　　　。 」
　
　
　そして、上記摘記事項（２）から（５）の実施例８等の記載及び実施例８の光路図である図８の記載からみて、以下のア．からキ．の点が読み取れる。
　
ア．引用例１に記載の偏心光学素子７を構成する３つの面は、互いに偏心して配置している点。（摘記事項（３）から（５））
　
イ．偏心光学素子７を構成する３つの面である第１面３、第２面４、第３面５のうち、２回の内部反射を行うように、前記第１面３、前記第２面４を、２つの反射作用を有する面で形成すると共に、前記２つの反射作用を有する面によって反射された光線が前記偏心光学素子７内部で交差しないような位置に前記２つの反射作用を有する面を備える点。（摘記事項（２）から（５））
　
ウ．反射作用を有する面のうち、アナモフィック非球面である第２面４は、面内及び面外共に回転対称軸を有さない非球面で形成されている点。（摘記事項（３）から（５））
　
エ．反射作用を有する面のうち、球面である第１面３は、所定の有効面を少なくとも備え、第１面３の全領域中での透過及び／又は反射をする領域を有する回転対称面にて構成されている点。（摘記事項（３）から（５））
　
オ．第２面４は、第１面３と対向配置されている点。（摘記事項（３）から（５））
　
カ．第３面５は、第１面３と第２面４との対向方向に対して略垂直方向の位置に配置されている点。（摘記事項（３）から（５））
　
キ．アナモフィック非球面である第２面４が２つの対称面を有し、前記２つの対称面のち、１つの対称面（Ｙ−Ｚ平面）内に、球面である第１面の回転対称軸が位置するように、第１面３と第２面４とが配置されている点。（摘記事項（３）から（５））
　
　したがって、引用例１の上記摘記事項及び第８図の記載からみて、引用例１には、
「３つの反射面が互いに偏心して配置され、前記３つの面の間によって形成される空間が屈折率が１より大きい媒質で満たされた偏心光学素子７を備える接眼光学系５において、
　前記偏心光学素子７を構成する３つの面である第１面３、第２面４、第３面５のうち、２回の内部反射を行うように、前記第１面３、前記第２面４を、２つの反射作用を有する面で形成すると共に、前記２つの反射作用を有する面によって反射された光線が前記偏心光学素子７内部で交差しないような位置に前記２つの反射作用を有する面を備え、
　前記２つの反射作用を有する面のうち、アナモフィック非球面である第２面４は、面内及び面外共にに回転対称軸を有さない非球面で形成され、
　前記２つの反射作用を有する面のうち、球面である第１面３は、所定の有効面を少なくとも備え、
　前記第１面３の全領域中での透過及び／又は反射をする領域を有する回転対称面にて構成され
　前記偏心光学素子７の観察者の瞳側に、正レンズ９が配置され、
　前記球面である第１面は、屈折面かつ全反射面として形成され、
　前記アナモフィック非球面である第２面は、前記第１面３と対向配置された面として形成され、
　屈折面である前記第３面が、前記第１面３と前記第２面４との対向方向に対して略垂直方向に位置して配置され、
　前記第２面４が２つの対称面を有し、前記２つの対称面のち、１つの対称面（Ｙ−Ｚ面）内に、前記第１面３の回転対称軸が位置するように、前記第１面３と前記第２面４とが配置されている接眼光学系５。」（以下、「引用例１発明」という。）
の発明の記載が認められる。
　
　
４．　対比
　
　そこで、本願発明と引用例１発明とを対比すると、
　引用例１発明の「偏心光学素子７」は、本願発明の「偏心プリズム」に相当する。
　
　そして、およそ自然界に存在する材料の屈折率は、１．３以上のものしか存在しないことを考慮すれば、引用例１発明の「屈折率が１より大きい媒質」は、本願発明の「屈折率が１．３以上の透明媒質」に相当する。
　
　引用例１発明の「３つの反射面が互いに偏心して配置され、前記３つの面の間によって形成される空間が屈折率が１より大きい媒質で満たされた偏心光学素子７」は、本願発明の「少なくとも３つの面が互いに偏心して配置され、その３つの面の間が屈折率が１．３以上の透明媒質で埋められた構成の偏心プリズム」に相当する。
　
　引用例１発明の「接眼光学系５」は、本願発明の「偏心プリズム光学系」に相当する。
　
　引用例１発明の「前記偏心光学素子７を構成する３つの面である第１面３、第２面４、第３面５」は、本願発明の「前記３つの面」に相当する。
　
　引用例１発明の「前記第１面３、前記第２面４を、２つの反射作用を有する面で形成する」は、本願発明の「２つの反射作用を有する面で形成する」に相当する。
　
　引用例１発明の「前記２つの反射作用を有する面のうち、アナモフィック非球面である第２面４」は、本願発明の「前記２つの反射作用を有する２つの面のうち、１つの面」に相当する。
　
　引用例１発明の「前記２つの反射作用を有する面のうち、球面である第１面３」は、本願発明の「他の１つの面」に相当する。
　
　引用例１発明の「正レンズ９」は、本願発明の「正の屈折力を有するレンズ」に相当する。
　
　引用例１発明の「前記偏心光学素子７の観察者の瞳側に、正レンズ９が配置され、」は、本願発明の「前記偏心プリズムの入射側あるいは射出側に、正屈折力を有するレンズが配置されており」に相当する。
　
　引用例１発明の「球面である第１面は、屈折面かつ全反射面として形成され、」は、本願発明の「前記偏心プリズムを通過する光束を入射若しくは射出させる透過作用と前記偏心プリズムの内部で前記光束を折り曲げる反射作用とを併せ持つ第１面として形成され、」に相当する。
　
　引用例１発明の「前記アナモフィック非球面である第２面は、前記第１面３と対向配置された面として形成され、」は、本願発明の「前記回転非対称面を含む前記他の１つの面は、前記第１面と対向配置された第２面として形成され、」に相当する。
　
　引用例１発明の「屈折面である前記第３面が、前記第１面３と前記第２面４との対向方向に対して略垂直方向に位置して配置され、」は、本願発明の「前記偏心プリズムを通過する光束を射出若しくは入射させる透過作用を有する第３面が、前記第１面と前記第２面との対向方向に対して略垂直方向の位置に配置され、」に相当する。
　
　引用例１の上記摘記事項（４）、（５）及び図８の記載からみて、引用例１発明の正レンズは、第１面の観察者の瞳側に配置されているので、引用例１発明の「前記偏心光学素子７の観察者の瞳側に、正レンズ９が配置され、」は、本願発明の「前記レンズが、前記第１面の入射側若しくは射出側に配置されており、」に相当する。
　
　引用例１発明の「前記第２面４が２つの対称面を有し、前記２つの対称面のち、１つの対称面（Ｙ−Ｚ面）内に、前記第１面３の回転対称軸が位置するように、前記第１面３と前記第２面４とが配置されている」は、本願発明の「前記アナモルフィック面が有する２つの対称面のうち、少なくとも１つの対称面内に前記第１面の回転対称面の回転対称軸が位置するように、前記第１面と前記第２面とが配置されている」に相当する。
　
　引用例１発明の第２面は、アナモフィック非球面であるので、引用例１発明と本願発明とは共に、「前記第２面がアナモルフィック面にて形成され」の点で一致する。
　
　引用例１発明は、偏心光学素子７を構成する３つの面が第１面、第２面、第３面であるので、引用例１発明の「偏心光学素子７」と本願発明の「偏心プリズム」とは共に、「少なくとも前記偏心プリズムが、前記第１面と前記第２面と前記第３面とを含む構成であり、」の点で一致する。
　
　したがって、両者は、「少なくとも３つの面が互いに偏心して配置され、その３つの面の間が屈折率が１．３以上の透明媒質で埋められた構成の偏心プリズムを備えた偏心プリズム光学系において、
　前記偏心プリズムは、少なくとも２回の内部反射を行うように、前記３つの面のうちの少なくとも２つの面を反射作用を有する面で形成すると共に、前記の２つの反射作用を有する面によって反射された光線が前記偏心プリズム内部で交差しないような位置に前記の２つの反射作用を有する面を備え、
　前記反射作用を有する２つの面のうち、１つの面の形状は面内及び面外共に回転対称軸を有さない回転非対称面にて形成され、他の１つの面は所定の有効面を少なくとも備え、　前記他の１つの面の全領域中で光束が透過及び／又は反射をする領域を有効面としたとき、前記所定の有効面は、該有効面内に回転対称軸を有する回転対称面にて構成されており、
　前記偏心プリズムの入射側あるいは射出側に、正屈折力を有するレンズが配置されており、
　前記回転対称面が形成された前記１つの面は、前記偏心プリズムを通過する光束を入射若しくは射出させる透過作用と前記偏心プリズムの内部で前記光束を折り曲げる反射作用とを併せ持つ第１面として形成され、
　前記回転非対称面を含む前記他の１つの面は、前記第１面と対向配置された第２面として形成され、さらに、
　前記偏心プリズムを通過する光束を射出若しくは入射させる透過作用を有する第３面が、前記第１面と前記第２面との対向方向に対して略垂直方向の位置に配置され、
　少なくとも前記偏心プリズムが、前記第１面と前記第２面と前記第３面とを含む構成であり、
　前記レンズが、前記第１面の入射側若しくは射出側に配置されており、
　前記第２面がアナモルフィック面にて形成されており、
　前記アナモルフィック面が有する２つの対称面のうち、少なくとも１つの対称面内に前記第１面の回転対称面の回転対称軸が位置するように、前記第１面と前記第２面とが配置されていることを特徴とする偏心プリズム光学系。」
　で一致し、相違点はない。
　
　
５．　むすび
　
　したがって、本願発明は，引用例１に記載された発明であるから、特許法第２９条第１項第３号に該当し、特許を受けることができないから、他の請求項に係る発明について検討するまでもなく、本願は拒絶すべきものである。
　
　よって、結論のとおり審決する。